(57)【要約】【課題】耐久性が高く、使い勝手が良好であり且つ製造コストも低く抑えることのできるアンカー抜取具を提供する。【解決手段】本発明のアンカー抜取具は、電動工具に連結されるロッド２と、ロッド２に装着されるフランジ状の把持部材４と、ロッド２に装着される抜け止め部材６とを備える。ロッド２は、コーン押圧部１０、雄ネジ部１６及び連結部１４を一連に有する。把持部材４は、ロッド２に回転自在に装着される。抜け止め部材６は、ロッド２のうち把持部材４が装着される箇所よりも先端側の箇所に装着される。【選択図】図１
2015033746.tif 000002
【特許請求の範囲】
【請求項１】
筒状のスリーブとこれに圧入されるコーンとから成るカットアンカーを、構造物の壁面の穴から引き抜くためのアンカー抜取具であって、
電動工具に連結されるロッドと、
前記ロッドに装着されるフランジ状の把持部材と、
前記ロッドに装着される抜け止め部材と、を備え、
前記ロッドは、
その軸方向の一端側に位置する第一端部と、軸方向の他端側に位置する第二端部と、前記第一端部と前記第二端部の間に位置する中間軸部とから成り、前記第一端部に、前記コーンに押し当たるコーン押圧部を有し、前記第二端部に、前記電動工具に連結される連結部を有し、前記中間軸部に、前記スリーブに螺入する雄ネジ部を有し、
前記把持部材は、
前記中間軸部に回転自在に装着され、
前記抜け止め部材は、
前記中間軸部の前記把持部材が装着される箇所よりも前記第一端部に近い側に装着されることを特徴とするアンカー抜取具。
【請求項２】
落下防止用の安全ロープを、更に備え、
前記安全ロープは、
その軸方向の一端に第一係止部を有し、軸方向の他端に第二係止部を有し、
前記把持部材は、
前記第一係止部を係止させる貫通孔を有することを特徴とする請求項１に記載のアンカー抜取具。
【発明の詳細な説明】
【技術分野】
【０００１】
本発明は、アンカー抜取具に関する。
【背景技術】
【０００２】
工事用の足場等を建築物の壁面に取り付ける場合、図４に示すようなカットアンカー５０が用いられる。
【０００３】
カットアンカー５０は、両端の貫通した円筒形状のスリーブ５２と、このスリーブ５２の一端側の開口に圧入されるコーン５４とから成る。
【０００４】
スリーブ５２の一端側には、軸方向に沿って切れ込んだスリット５６が複数形成されている。スリーブ５２の他端側の内周面には、図示略のアンカーボルトを螺入する雌ネジ５８が形成されている。
【０００５】
コーン５４は、軸方向に沿って徐々に小径となる円錐台形状を有する。コーン５４は、その上底面側をスリーブ５２内に圧入させて用いる。
【０００６】
カットアンカー５０を壁面１００に取り付けるには、まず、壁面１００にドリル等で穴をあける。この穴に、カットアンカー５０をコーン５４側から挿入し、ハンマ等で打ち込むことで、コーン５４の更なる圧入によってスリーブ５２の一端側が拡張され、壁面１００に対してカットアンカー５０が強固に固定される。固定後のスリーブ５２に対して、外側からアンカーボルトを螺入させる。
【０００７】
このカットアンカー５０を使用後も建築物中に残していると、カットアンカー５０に生じる錆などが、建築物の劣化の原因となる。これを避けるため、使用後に穴周辺を削り取ってカットアンカー５０を取り出すことがある。
【０００８】
しかし、壁面１００を削り取ってカットアンカー５０を取り出す作業は、手間やコストがかかる。そこで、特許文献１には、カットアンカー５０を穴から抜き出すためのアンカー抜取具が提案されている。
【０００９】
このアンカー抜取具では、カットアンカー５０のスリーブ５２に筒型のホルダーを結合させ、このホルダーが有する貫通孔にロッドをねじ込み、ロッドの先端でコーン５４を押し込むことで、コーン５４とスリーブ５２を分離させる。分離後は、ホルダーの外周面に取付けたハンドルを両手で握り、ホルダーやロッドと一体にスリーブ５２を穴から引き抜く構造である。
【先行技術文献】
【特許文献】
【００１０】
【特許文献１】特開２００２−１８５４２５号公報
【発明の概要】
【発明が解決しようとする課題】
【００１１】
従来のアンカー抜取具は、上述したように、筒型のホルダーを備えてこのホルダー内にロッドをねじ込んでいく構造であるから、ロッドが細長く形成され、負荷をかけたときにロッドが折れやすいなど、耐久性に欠けるという課題があった。
【００１２】
また、ホルダーをスリーブに結合させた後に、レンチでロッドをねじ込み、その後にハンドルを両手で握って、ホルダーやロッドごとスリーブを抜き取るものであるから、作業性が悪く、製造コストも高くなるという課題を有していた。
【００１３】
本発明は前記課題を解決するもので、耐久性が高く、使い勝手が良好であり且つ製造コストも低く抑えることのできるアンカー抜取具を提供することを、目的とする。
【課題を解決するための手段】
【００１４】
前記課題を解決するために、本発明を、下記構成を具備するアンカー抜取具とする。
【００１５】
本発明は、筒状のスリーブとこれに圧入されるコーンとから成るカットアンカーを、構造物の壁面の穴から引き抜くためのアンカー抜取具であって、電動工具に連結されるロッドと、前記ロッドに装着されるフランジ状の把持部材と、前記ロッドに装着される抜け止め部材と、を備える。前記ロッドは、その軸方向の一端側に位置する第一端部と、軸方向の他端側に位置する第二端部と、前記第一端部と前記第二端部の間に位置する中間軸部とから成り、前記第一端部に、前記コーンに押し当たるコーン押圧部を有し、前記第二端部に、前記電動工具に連結される連結部を有し、前記中間軸部に、前記スリーブに螺入する雄ネジ部を有する。前記把持部材は、前記中間軸部に回転自在に装着され、前記抜け止め部材は、前記中間軸部の前記把持部材が装着される箇所よりも前記第一端部に近い側に装着される。
【００１６】
本発明のアンカー抜取具は、落下防止用の安全ロープを更に備え、前記安全ロープは、その軸方向の一端に第一係止部を有し、軸方向の他端に第二係止部を有し、前記把持部材は、前記第一係止部を係止させる貫通孔を有することが好ましい。
【発明の効果】
【００１７】
本発明は、耐久性が高く、使い勝手が良好であり且つ製造コストも低く抑えることのできるアンカー抜取具を提供することができるという効果を奏する。
【図面の簡単な説明】
【００１８】
【図１】本発明の一実施形態のアンカー抜取具を示す側面図である。
【図２】同上のアンカー抜取具を示す正面図である。
【図３】同上のアンカー抜取具の使用状態を示す斜視図である。
【図４】カットアンカーが壁面に固定された状態を説明する側面図である。
【発明を実施するための形態】
【００１９】
本発明を、添付図面に示す実施形態に基づいて説明する。
【００２０】
本発明の一実施形態のアンカー抜取具は、図４に示すようなカットアンカー５０を、これを打ち込んだ壁面１００の穴から速やかに引き抜くためのものである。つまり、本実施形態のアンカー抜取具を用いれば、カットアンカー５０を形成する筒状のスリーブ５２を、これに圧入されるコーン５４ごと簡単に引き抜くことが可能となる。
【００２１】
図１や図２に示すように、本実施形態のアンカー抜取具は、一直線状の中心軸に沿って形成される金属製のロッド２と、このロッド２に装着される金属製の円板から成る把持部材４と、同じくロッド２に装着される金属製のナットから成る抜け止め部材６とを備える。以下の本文中では、ロッド２の中心軸に沿った方向を「軸方向」という。
【００２２】
ロッド２の外周面には、雄ネジ８を形成している。この雄ネジ８は、ロッド２の外周面のうち、軸方向の一端部（図１中の左側の端部）を除く領域に、一連に形成している。雄ネジ８を形成しないロッド２の一端部が、円柱状のコーン押圧部１０となる。
【００２３】
ロッド２の軸方向の他端部（図１中の右側の端部）には、六角ナット１２を固着することで、電動工具４０に連結させるための連結部１４を形成している。ロッド２のうち、コーン押圧部１０と連結部１４の間の部分が、外周面に雄ネジ８が設けられた雄ネジ部１６となる。
【００２４】
換言すると、ロッド２は、軸方向の一端側に第一端部１８を有し、この第一端部１８にコーン押圧部１０を設けている。また、ロッド２は、軸方向の他端側に第二端部２０を有し、この第二端部２０に連結部１４を設けている。ロッド２は、第一端部１８と第二端部２０の間に中間軸部２２を有し、この中間軸部２２に雄ネジ部１６を設けている。
【００２５】
把持部材４は、中央に挿通穴２４を有する金属製の円板から成る。挿通穴２４は、雄ネジ８よりも径が大きくなるように形成した、円形状の貫通孔である。把持部材４は、この挿通穴２４内に隙間を介して雄ネジ部１６を通すことで、ロッド２の中間軸部２２に回転自在に装着される。
【００２６】
ロッド２にフランジ状に備えられる把持部材４の外周縁近傍には、挿通穴２４とは別の貫通孔２６を形成している。貫通孔２６には、安全ロープ３２（図３参照）を係止させるためのリング２８を通している。
【００２７】
抜け止め部材６は、内周面に雌ネジを形成したナット３０から成る。抜け止め部材６の内周面の雌ネジは、雄ネジ８と螺合する寸法形状を有する。抜け止め部材６の外径は、把持部材４が有する挿通穴２４の径よりも大きく設けている。抜け止め部材６は、ロッド２の雄ネジ部１６のうち、把持部材４が装着される箇所よりもコーン押圧部１０に近い側の箇所に、螺合によって装着される。
【００２８】
円板状である把持部材４は、挿通穴２４よりも大きな外径を有する抜け止め部材６と、同じく挿通穴２４よりも大きな外径を有する連結部１４とで、軸方向に挟まれることで、ロッド２からの脱落が防止される。
【００２９】
把持部材４に係止させる安全ロープ３２は、その一端側の端部に第一係止部３４を有し、他端側の端部に第二係止部（図示略）を有する。第一係止部３４や第二係止部としては、フック等の適宜構造が採用可能である。
【００３０】
本実施形態では、フック部材３６から成る第一係止部３４を、リング２８を介して把持部材４に係止させているが、リング２８を介することなく、第一係止部３４を把持部材４に直接係止させてもよい。図示略の第二係止部には、例えばフック部材３６と同様の部材を用いることが好ましく、これを作業者の身体に係止させることで、アンカー抜取具の落下防止が図られる。
【００３１】
本実施形態のアンカー抜取具を用いてカットアンカー５０を壁面１００から抜き取る方法は、以下の通りである。
【００３２】
図３に示すように、作業者は、ロッド２の連結部１４を電動工具４０の出力軸に装着させ、このロッド２のコーン押圧部１０側を、壁面１００に固定されるカットアンカー５０のスリーブ５２内に挿入する。
【００３３】
作業者は、一方の手で電動工具４０のハンドル（図示略）を握り、他方の手で把持部材４を掴んだ状態で、ハンドルに備えたトリガースイッチを引き込み操作し、電動工具４０の出力軸を回転させる。ロッド２は、電動工具４０の出力軸と一体に回転駆動され、雄ネジ部１６がスリーブ５２の雌ネジ５８に噛み合うことで、スリーブ５２内に螺進する。
【００３４】
ロッド２がスリーブ５２内にある程度侵入した時点で、ロッド２が有するコーン押圧部１０の先端面が、コーン５４の上底面に押し当たる。ロッド２を回転させて更にスリーブ５２内に螺進させると、コーン押圧部１０が、コーン５４をスリーブ５２から遠ざけるように作用する。スリーブ５２は、このときの反力で壁面１００から手前側に押し出される。
【００３５】
スリーブ５２が所定距離だけ手前側に押し出された時点で、スリーブ５２がコーン５４の圧入により拡張されていた部分が元に戻り、固定が解除される。ここで、片手で電動工具４０のハンドルを握り且つもう片手で把持部材４を摘んだ状態のまま、電動工具４０と共にロッド２を手間側に引き抜くと、ロッド２に螺合するカットアンカー５０は、コーン５４ごと穴から抜き取られる。
【００３６】
ロッド２をどの程度だけスリーブ５２内に螺進させた時点で固定が解除されるかについては、ロッド２にテープ等の目印を付しておくことで、容易に判断可能である。
【００３７】
上記した手順は、慣れた作業者であれば数秒で完了することができ、現場において、多数のカットアンカー５０を一気に抜き取ることが可能である。しかも、カットアンカー５０をコーン５４ごと抜き取ることができるため、カットアンカー５０の再利用も可能となる。
【００３８】
以上、添付図面に基づいて説明したように、本実施形態のアンカー抜取具は、筒状のスリーブ５２とこれに圧入されるコーン５４とから成るカットアンカー５０を、構造物の壁面１００の穴から引き抜くためのものである。本実施形態のアンカー抜取具は、電動工具４０に連結されるロッド２と、ロッド２に装着されるフランジ状の把持部材４と、ロッド２に装着される抜け止め部材６とを備える。
【００３９】
ロッド２は、その軸方向の一端側に位置する第一端部１８と、軸方向の他端側に位置する第二端部２０と、第一端部１８と第二端部２０の間に位置する中間軸部２２とから成る。第一端部１８に、コーン５４に押し当たるコーン押圧部１０を有する。第二端部２０に、電動工具４０に連結される連結部１４を有する。中間軸部２２に、スリーブ５２に螺入する雄ネジ部１６を有する。
【００４０】
把持部材４は、中間軸部２２に回転自在に装着される。抜け止め部材６は、中間軸部２２の把持部材４が装着される箇所よりも第一端部１８に近い側に装着される。
【００４１】
本実施形態のアンカー抜取具によれば、ロッド２は、コーン押圧部１０と雄ネジ部１６と連結部１４とが一連に形成された耐久性の高い構造となる。また、このロッド２を電動工具４０に装着して回転させれば、カットアンカー５０の壁面１００への固定を容易に且つ迅速に解除することができ、全体の構成部品も少なくて済むことから製造コストも抑えられる。
【００４２】
更に、本実施形態のアンカー抜取具では、落下防止用の安全ロープ３２を備えている。安全ロープ３２は、その軸方向の一端に第一係止部３４を有し、軸方向の他端に第二係止部を有する。把持部材４は、第一係止部３４を係止させる貫通孔２６を有する。
【００４３】
したがって、本実施形態のアンカー抜取具によれば、安全ロープ３２の第二係止部を作業者の身体等に係止しておけば、ロッド２に装着されるフランジ状の把持部材４及びこの安全ロープ３２を介して、アンカー抜取具の落下を防止することができる。把持部材４はロッド２に対して回転自在であるから、把持部材４に安全ロープ３２を繋いで落下を防止しながら、ロッド２を回転させて作業を行うことが可能である。
【００４４】
以上、本発明を添付図面に示す実施形態に基づいて説明したが、本発明は前記実施形態に限定されるものではない。本発明の意図する範囲内であれば、適宜の設計変更を行うことが可能である。
【符号の説明】
【００４５】
２  ロッド
４  把持部材
６  抜け止め部材
１０  コーン押圧部
１４  連結部
１６  雄ネジ部
１８  第一端部
２０  第二端部
２２  中間軸部
２６  貫通孔
３２  安全ロープ
３４  第一係止部
４０  電動工具
５０  カットアンカー
５２  スリーブ
５４  コーン
１００  壁面
【図１】
2015033746.tif 000003
【図２】
2015033746.tif 000004
【図３】
2015033746.tif 000005
【図４】
2015033746.tif 000006